(57)【要約】【課題】蓄電装置を収めるコンテナ内での異常状態の発生の検出精度を高めて、コンテナ内における異常発生に応じた適切なタイミングでの制御を実現すること。【解決手段】蓄電システム１は、蓄電装置５が内部に配置されるコンテナ３と、コンテナ３の内部に配置され、内部の空気の状態を検知する煙感知器１１、１３及び熱感知器１５を含む空間検知センサと、蓄電装置５に取り付けられ、蓄電装置の状態を検知する温度センサ５ｂを含む蓄電装置検知センサと、コンテナ３の内部の異常状態の発生を検出して、当該検出に応じて所定の装置の動作を制御する消火制御用コントローラ１９とを備え、消火制御用コントローラ１９は、空間検知センサによって検知された状態が異常を示し、かつ、蓄電装置検知センサによって検知された状態が異常を示す場合に、異常状態の発生を検出する。【選択図】図２
2019040814.tif 000002
【特許請求の範囲】
【請求項１】
蓄電装置が内部に配置されるコンテナと、
前記コンテナの内部に配置され、前記内部の空気の状態を検知する空間検知センサと、
前記蓄電装置に取り付けられ、前記蓄電装置の状態を検知する蓄電装置検知センサと、
前記コンテナの内部の異常状態の発生を検出して、当該検出に応じて所定の装置の動作を制御する制御部とを備え、
前記制御部は、前記空間検知センサによって検知された前記状態が異常を示し、かつ、前記蓄電装置検知センサによって検知された状態が異常を示す場合に、前記異常状態の発生を検出する、
蓄電システム。
【請求項２】
前記空間検知センサは、前記内部の空間内の煙を検知する煙センサであり、
前記制御部は、前記煙センサによって煙が検知され、かつ、前記蓄電装置検知センサによって検知された状態が異常を示す場合に、前記異常状態の発生を検出する、
請求項１記載の蓄電システム。
【請求項３】
前記空間検知センサは、前記内部の空間内の温度を検知する温度センサであり、
前記制御部は、前記温度センサによって検知された温度が閾値を超えており、かつ、前記蓄電装置検知センサによって検知された状態が異常を示す場合に、前記異常状態の発生を検出する、
請求項１又は２に記載の蓄電システム。
【請求項４】
前記蓄電装置検知センサは、前記蓄電装置の内部に配置された温度センサであり、
前記制御部は、前記空間検知センサによって検知された前記状態が異常を示し、かつ、前記温度センサによって検知された温度が閾値を超えた場合に、前記異常状態の発生を検出する、
請求項１〜３のいずれか１項に記載の蓄電システム。
【請求項５】
前記所定の装置として、前記コンテナの外面に取り付けられた第１の表示装置をさらに備え、
前記制御部は、前記異常状態の発生を前記第１の表示装置に表示させるように制御する、
請求項１〜４のいずれか１項に記載の蓄電システム。
【請求項６】
前記コンテナの外面に取り付けられた第２の表示装置をさらに備え、
前記制御部は、空間検知センサによって検知された前記状態が異常を示す場合に前記異常を第２の表示装置に表示させるように制御する、
請求項５に記載の蓄電システム。
【請求項７】
前記空間検知センサは、前記内部の空間内の温度を検知する温度センサであり、
前記制御部は、前記温度センサによって検知された温度が閾値を超えた場合に前記温度の異常を第２の表示装置に表示させるように制御する、
請求項６に記載の蓄電システム。
【請求項８】
前記温度センサは、前記コンテナの内部の天井部分に取り付けられている、
請求項７に記載の蓄電システム。
【発明の詳細な説明】
【技術分野】
【０００１】
本発明は、蓄電システムに関する。
【背景技術】
【０００２】
従来からコンテナ内に蓄電装置を備えて蓄電装置から外部に電力を供給する蓄電システムが知られている（例えば、下記特許文献１参照）。このような蓄電システムにおいては、コンテナ内での万が一の異常に備えるための制御装置が内蔵され、制御装置が蓄電装置の備える二次電池の電圧及び温度を監視し、その電圧及び温度の異常を判定することにより消火制御等の制御を実行する。
【先行技術文献】
【特許文献】
【０００３】
【特許文献１】特開２０１６−１９２２６１号公報
【発明の概要】
【発明が解決しようとする課題】
【０００４】
上記特許文献１の蓄電システムでは、コンテナ内部に備えられる蓄電装置の内部の監視結果のみで消火制御が実行される。そのため、蓄電システム内部における蓄電装置以外を原因とした火災を含めた異常の発生の検出精度が十分でない。その結果、コンテナ内部での異常の発生に応じた制御が適切なタイミングで実行されない傾向にあった。
【０００５】
そこで、本発明は、かかる課題に鑑みてなされたものであり、蓄電装置を収めるコンテナ内での異常の発生の検出精度を高めて、異常発生に応じた適切なタイミングでの制御を実現することが可能な蓄電システムを提供することを目的とする。
【課題を解決するための手段】
【０００６】
本発明の一形態にかかる蓄電システムは、蓄電装置が内部に配置されるコンテナと、コンテナの内部に配置され、内部の空気の状態を検知する空間検知センサと、蓄電装置に取り付けられ、蓄電装置の状態を検知する蓄電装置検知センサと、コンテナの内部の異常状態の発生を検出して、当該検出に応じて所定の装置の動作を制御する制御部とを備え、制御部は、空間検知センサによって検知された状態が異常を示し、かつ、蓄電装置検知センサによって検知された状態が異常を示す場合に、異常状態の発生を検出する。
【０００７】
この蓄電システムでは、制御部により、空間検知センサによって検知されたコンテナ内部の空気の状態が異常を示し、かつ、蓄電装置検知センサによって検知された蓄電装置の状態が異常を示す場合にコンテナ内部の異常状態の発生が検出され、その検出に応じて異常の発生に応じた制御が実行される。このように、コンテナ内部に配置された蓄電装置の異常状態のみならず、コンテナ内部の空気の異常状態を基にコンテナ内部の異常状態の発生を検出することで、蓄電装置以外を原因とした火災を含む異常状態の発生の検出精度を高めることができる。その結果、異常発生に応じた適切なタイミングでの制御を実現することができる。
【０００８】
上記一形態では、空間検知センサは、内部の空間内の煙を検知する煙センサであり、制御部は、煙センサによって煙が検知され、かつ、蓄電装置検知センサによって検知された状態が異常を示す場合に、異常状態の発生を検出する、ことでもよい。これによれば、蓄電装置の異常状態のみならず、コンテナ内部の煙の発生状態を基に異常状態の発生を検出することで、蓄電装置以外を原因とした火災を含むコンテナ内部の異常状態の発生の検出精度を確実に高めることができる。
【０００９】
また、上記一形態では、空間検知センサは、内部の空間内の温度を検知する温度センサであり、制御部は、温度センサによって検知された温度が閾値を超えており、かつ、蓄電装置検知センサによって検知された状態が異常を示す場合に、異常状態の発生を検出する、ことでもよい。これによれば、蓄電装置の異常状態のみならず、コンテナ内部の温度状態を基に異常状態の発生を検出することで、蓄電装置以外を原因とした火災を含むコンテナ内部の異常状態の発生の検出精度を確実に高めることができる。
【００１０】
さらに、上記一形態では、蓄電装置検知センサは、蓄電装置の内部に配置された温度センサであり、制御部は、空間検知センサによって検知された状態が異常を示し、かつ、温度センサによって検知された温度が閾値を超えた場合に、異常状態の発生を検出する、ことでもよい。かかる構成を採れば、コンテナ内部の空気の異常状態のみならず、蓄電装置の内部の温度上昇を基に異常状態の発生を検出することで、蓄電装置自体の温度上昇等の不具合に起因した火災を含むコンテナ内部の異常状態の発生の検出精度を確実に高めることができる。
【００１１】
またさらに、上記一形態では、所定の装置として、コンテナの外面に取り付けられた第１の表示装置をさらに備え、制御部は、異常状態の発生を第１の表示装置に表示させるように制御する、ことでもよい。この場合、コンテナの外部にコンテナ内部における異常の発生を素早く報知することができる。
【００１２】
さらにまた、上記一形態では、コンテナの外面に取り付けられた第２の表示装置をさらに備え、制御部は、空間検知センサによって検知された状態が異常を示す場合に異常を第２の表示装置に表示させるように制御する、ことでもよい。こうすれば、制御部によるコンテナ内部での異常状態発生の検出に応じた制御が実行された後に、コンテナの外部からコンテナ内部の異常状態の状況を容易に確認することができる。
【００１３】
また、上記一形態では、空間検知センサは、内部の空間内の温度を検知する温度センサであり、制御部は、温度センサによって検知された温度が閾値を超えた場合に温度の異常を第２の表示装置に表示させるように制御する、ことでもよい。かかる構成を採れば、制御部によるコンテナ内部での異常状態の発生の検出に応じた制御が実行された後に、コンテナ内部の異常状態の進行状況をコンテナの外部に容易に報知することができる。
【００１４】
さらに、上記一形態では、温度センサは、コンテナの内部の天井部分に取り付けられている、ことでもよい。この場合、コンテナ内部の異常状態の進行状況を効率的に検出してその進行状況を外部に報知することができる。
【発明の効果】
【００１５】
本発明の一形態によれば、蓄電装置を収めるコンテナ内での異常状態の発生の検出精度を高めて、コンテナ内における異常発生に応じた適切なタイミングでの制御を実現することができる。
【図面の簡単な説明】
【００１６】
【図１】本発明の好適な一実施形態に係る蓄電システム１の構成を示す斜視図である。
【図２】図１の蓄電システム１の異常検出制御機器群における信号の流れを示すブロック図である。
【図３】図１の消火制御用コントローラ１９のハードウェア構成の一例を示すブロック図である。
【図４】消火制御用コントローラ１９による監視動作の手順を示すフローチャートである。
【図５】消火制御用コントローラ１９による監視動作の手順を示すフローチャートである。
【発明を実施するための形態】
【００１７】
以下、図面を用いて、本発明の実施形態について説明する。本発明を説明するための全図において、同一の機能を有するものは、同一の符号を付け、その繰り返しの説明は省略する場合がある。
［蓄電システムの全体構成］
【００１８】
実施形態に係る蓄電システムは、再生可能エネルギーを利用して生成された電気を管理する電源システムである。蓄電システムは、例えば家庭、工場、農場等の様々な場所で利用され得る。家庭用の蓄電システムの一例として家庭用エネルギー管理システム（ＨＥＭＳ）が挙げられる。
【００１９】
図１は、蓄電システム１の構成の一例を示す斜視図である。蓄電システム１は、蓄電システム１を構成する各種機器を収容する略直方体状のコンテナ３と、コンテナ３内に配置された、複数の蓄電装置５、電力変換器７、電力制御用コントローラ９を含んで構成されている。この蓄電システム１は、外部の発電装置によって生成された電力を蓄電装置５に蓄電すると共に、蓄電装置５から出力された電力を外部の負荷に供給することができる。負荷とは、電力を消費する１以上の機器または装置の集合であり、例えば、１以上の家庭用または業務用の様々な電気機器の集合である。蓄電システム１と外部の負荷及び外部の発電装置とは、図示しない電力送電網によって接続され、電力送電網を経由して発電装置から電力を受電するとともに、電力送電網を経由して蓄電システム１内の蓄電装置５から外部の負荷に向けて電力が供給される。
【００２０】
蓄電装置５は、外部の発電装置により生成された電気を化学エネルギーに変えて蓄える装置であり、充放電が可能である。蓄電装置５は、発電装置によって生成された直流電力の変動を平準化するためにも用いられ得る。蓄電装置５の例として鉛蓄電池等の蓄電池が挙げられる。
【００２１】
電力変換器７は、交流電力と直流電力との間の双方向または片方向の変換を行う装置である。電力変換器７は、直流電流が流れるＤＣ（Ｄｉｒｅｃｔ  Ｃｕｒｒｅｎｔ）バスに接続するＤＣ端子と、交流電流が流れるＡＣ（Ａｌｔｅｒｎａｔｉｎｇ  Ｃｕｒｒｅｎｔ）バスに接続するＡＣ端子とを有する。電力変換器７は、例えばパワーコンディショニングシステム（Ｐｏｗｅｒ  Ｃｏｎｄｉｔｉｏｎｉｎｇ  Ｓｙｓｔｅｍ：ＰＣＳ）またはインバータであり得る。電力変換器７は、ＤＣバスを介して、対応する蓄電装置５と電気的に接続し、その蓄電装置５の充放電を制御する。電力変換器７は、充電モードでは、外部の発電装置から流れてきた電気を蓄電装置５に蓄え、放電モードでは、蓄電装置５を放電させて外部に電力を供給し、停止状態では充放電を行わない。蓄電システム１は複数の蓄電装置５と複数の電力変換器７とを備えていてもよく、この場合は、蓄電システム１は、蓄電装置５および電力変換器７の複数の組を備える。この組は蓄電ユニットということもできる。また、蓄電システム1は複数の蓄電装置５のみを備えていてもよい。
【００２２】
電力制御用コントローラ９は、蓄電装置５と電力変換器７とによる充放電を統括的に制御する制御装置である。例えば、電力制御用コントローラ９は、太陽電池等の発電装置の発電電力を有効に利用し、図示しない商用電力網への逆潮流を最小化し、かつ、商用電力網からの電力の供給に応じた光熱費を削減するように、蓄電装置５の充放電のタイミングを制御する。
【００２３】
ここで、図１に示す例では、蓄電システム１を構成するエネルギー供給用の機器としては、蓄電装置５と電力変換器７とが設けられているが、それ以外に、ヒートポンプ、またはガス給湯器に代表される温水供給用機器等の他のエネルギー供給機器が設けられていてもよい。蓄電システム１は、コンテナ３を備えることで、例えば、蓄電システム１に蓄電装置、電力変換器、およびその他のエネルギー供給機器を容易に増設することができる。
［蓄電システムの異常検出制御機器群の構成］
【００２４】
また、蓄電システム１は、コンテナ３内における異常状態として火災の発生を検出してそれに応じた動作を実行するための機器（以下、異常検出制御機器群という。）として、煙感知器１１、１３、熱感知器１５、ガス消火装置１７、及び消火制御用コントローラ（制御部）１９をコンテナ３内に備えている。さらに、蓄電システム１は、コンテナ３内での火災の発生を外部に向けて報知するための火災表示灯（第１の表示装置）２１と、コンテナ３内での温度上昇を外部に向けて報知するための温度異常表示灯（第２の表示装置）２３とをコンテナ３の外面に備えている。
【００２５】
図２は、異常検出制御機器群における信号の流れを示すブロック図である。以下、異常検出制御機器群の詳細構成について述べる。異常検出制御機器群は、消火制御用コントローラ１９と信号線等を介して電気的に接続されており、消火制御用コントローラ１９と他の機器との間で信号を送受信する。なお、異常検出制御機器群は、信号線を介した送受信以外に無線信号を用いて信号を送受信してもよい。
【００２６】
煙感知器１１は、コンテナ３の内部の天井部分と床部分に設けられ、いわゆる吸引式の高感度煙センサである。例えば、煙感知器１１は、配管網を有する吸引装置と、レーザチャンバ等を内蔵するセンサ本体とを備え、コンテナ３の天井に張られた配管網から吸引されたコンテナ内部の空気における煙の粒子の存在を高感度に検知することにより内部空気の異常を検知し、検知の有無を示す信号を消火制御用コントローラ１９に出力する。この煙感知器１１は、コンテナ３の内部の空気の状態を検知する空間検知センサの一種である。なお、煙感知器１１は発生する煙の物質・質量によって、天井部分または床部分のいずれか片方のみに設けられてもよい。
【００２７】
煙感知器１３は、コンテナ３の内部の天井部分に複数（例えば、２個）設けられ、いわゆる光電式の煙センサである。例えば、煙感知器１３は、暗箱、発光素子、受光素子等を内蔵し、コンテナ内部の空気における煙の粒子の存在を検知することにより内部空気の異常を検知し、検知の有無を示す信号を消火制御用コントローラ１９に出力する。この煙感知器１３の検出感度は煙感知器１１に比較して低い。煙感知器１３は、光電式以外に、イオン化式等の他の種類の煙センサであってもよい。この煙感知器１３も、コンテナ３の内部の空気の状態を検知する空間検知センサの一種である。
【００２８】
熱感知器１５は、コンテナ３の内部の天井部分に１つまたは複数設けられ、内部の空間内の温度を検知する温度センサである。例えば、熱感知器１５は、定温式熱感知器であり、空間内の温度が一定の閾値温度（例えば、摂氏６０度〜７０度の範囲の摂氏６５度等）を超えたときに内部空気の温度異常を検知し、検知の有無を示す信号を消火制御用コントローラ１９に出力する。この熱感知器１５も、コンテナ３の内部の空気の状態を検知する空間検知センサの一種である。なお、本実施形態では、熱感知器１５が空間内の温度が閾値温度を超えたことを検知しているが、熱感知器１５が検知した空間内の温度を示す信号を消火制御用コントローラ１９に出力し、消火制御用コントローラ１９により空間内の温度が閾値温度を超えたか否かが検知されてもよい。
【００２９】
また、各蓄電装置５内に内蔵された電池用コントローラ（制御装置）５ａ及び温度センサ５ｂも異常検出制御機器群を構成する。すなわち、各蓄電装置５は、蓄電池本体を内蔵する電池パック５ｃと、蓄電装置５の内部の電池パック５ｃ近傍に設けられ、電池パック５ｃ近傍の温度を検知するサーミスタ等の温度センサ５ｂと、蓄電池の状態の管理とともに蓄電池の保護動作を行う電池用コントローラ５ａとを含んで構成されている。この電池用コントローラ５ａは、温度センサ５ｂによって検知された温度が所定の閾値温度（例えば、蓄電池の熱暴走等の不具合が生じた際の温度範囲の温度）を超えたことを判断することにより蓄電装置５の動作状態の異常を検知し、その検知に応じた信号を消火制御用コントローラ１９に出力する。これらの電池用コントローラ５ａ及び温度センサ５ｂは、蓄電装置５の状態を検知する蓄電装置検知センサである。なお、本実施形態では、電池用コントローラ５ａが蓄電装置５内の温度が閾値温度を超えたことを検知しているが、蓄電装置５内の蓄電池の電圧を検知してその電圧が閾値電圧を超えたか否かを判断することによって蓄電装置５の状態の異常を検知してもよい。また、蓄電装置５の状態の異常の有無は、蓄電装置５からの信号を基に消火制御用コントローラ１９自体が検知してもよい。
【００３０】
火災表示灯２１は、消火制御用コントローラ１９によってコンテナ３の内部における異常状態として火災発生が検出された際に、消火制御用コントローラ１９からの点灯制御に応じて火災発生を表示する点灯装置である。また、温度異常表示灯２３は、消火制御用コントローラ１９によってコンテナ３の内部における温度異常が検出された際に、消火制御用コントローラ１９からの点灯制御に応じて温度異常の発生を表示する点灯装置である。これらの火災表示灯２１と温度異常表示灯２３とは、コンテナ３内部の異常発生を表示する際に互いに判別可能に表示するように構成されていることが好ましく、例えば、互いに異なる色（火災表示灯２１が赤色、温度異常表示灯２３が黄色等）で点灯するように構成されていることが好ましい。
【００３１】
ガス消火装置１７は、消火制御用コントローラ１９によってコンテナ３の内部における異常状態として火災発生が検出された際に、消火制御用コントローラ１９からの制御に応じて消火処理を実行する装置である。例えば、ガス消火装置１７は、アルゴン等の消化ガスをコンテナ３の内部に噴出可能な装置である。このガス消火装置１７には、火災発生が検知された際に警報を発する警報装置２５も付設されている。
【００３２】
消火制御用コントローラ１９は、空間検知センサである煙感知器１１、１３及び熱感知器１５からの信号と、蓄電装置検知センサである電池用コントローラ５ａからの信号とを基にコンテナ３内部の異常状態を検出して、それに応じて、火災表示灯２１、温度異常表示灯２３、ガス消火装置１７、及び警報装置２５の動作を制御する制御装置である。図３は、消火制御用コントローラ１９を構成する演算装置１００のハードウェア構成を示すブロック図である。同図に示すように、演算装置１００は、物理的には、ＣＰＵ１０１、主記憶装置であるＲＡＭ１０２及びＲＯＭ１０３、入力デバイスである入力装置１０４、出力デバイスである出力装置１０５、信号送受信デバイスである通信モジュール１０６、半導体メモリ等の補助記憶装置１０８、などを含む情報処理プロセッサとして構成されている。消火制御用コントローラ１９の後述する処理機能は、図３に示されるＣＰＵ１０１、ＲＡＭ１０２等のハードウェア上に１又は複数の所定のコンピュータソフトウェアを読み込ませることにより、ＣＰＵ１０１の制御のもとで入力装置１０４、出力装置１０５、及び通信モジュール１０６を動作させるとともに、ＲＡＭ１０２または補助記憶装置１０８におけるデータの読み出し及び書き込みを行うことで実現される。なお、消火制御用コントローラ１９は、１つの演算装置１００によって構成されてもよいし、階層的に接続された複数の演算装置１００によって構成されてもよい。
【００３３】
詳細には、消火制御用コントローラ１９は、いずれかの種類の空間検知センサからの信号が異常を示し、かつ、蓄電装置検知センサからの信号が異常を示す場合に、コンテナ３内の異常状態として火災の発生を検出する。このとき、消火制御用コントローラ１９は、煙感知器１１、１３、あるいは、熱感知器１５からのいずれかの信号が異常を示す場合に、空間検知センサからの信号が異常を示していると判定する。すなわち、コンテナ３の内部の空間内の煙が検知されるか、内部の空間内の温度異常が検知された場合に、コンテナ３の内部における空間内の空気の異常が検出される。そして、消火制御用コントローラ１９は、火災の発生の検出を契機に異常検出制御機器群の中の所定の装置の動作を制御する。具体的には、警報装置２５による警報の発報開始、火災表示灯２１による火災発生の表示開始、及びガス消火装置１７による消火処理の実行開始を制御する。また、消火制御用コントローラ１９は、煙感知器１１、１３、及び熱感知器１５の２種類のセンサからの信号が共に異常を示す場合もコンテナ３の内部における火災の発生を検出し、それに応じた所定の装置の動作を制御する。それに加えて、消火制御用コントローラ１９は、空間検知センサのうちの熱感知器１５からの信号が異常を示す場合に、コンテナ３内の空間の温度異常を検出し、それに応じて温度異常表示灯２３による温度異常の表示開始を制御する。
【００３４】
次に、蓄電システム１における消火制御用コントローラ１９の動作手順について説明する。図４および図５は、消火制御用コントローラ１９によるコンテナ３内における異常状態の監視動作の手順を示すフローチャートである。図４及び図５に示す監視動作は所定の時間間隔、あるいは所定の時刻で自動的に起動される。
【００３５】
まず、図４を参照して、消火制御用コントローラ１９は、空間検知センサを構成する各感知器からの信号が異常を示しているかを特定する（ステップＳ１０１）。次に、消火制御用コントローラ１９は、蓄電装置検知センサからの信号が異常を示しているかを特定する（ステップＳ１０２）。
【００３６】
その後、消火制御用コントローラ１９により、いずれかの煙感知器１１、１３による煙の検知の有無が判定される（ステップＳ１０３）。判定の結果、煙が検知された場合（ステップＳ１０３；ＹＥＳ）、さらに消火制御用コントローラ１９により、熱感知器１５による温度異常の検知の有無が判定される（ステップＳ１０５）。その結果、温度異常が検知された場合（ステップＳ１０５；ＹＥＳ）、消火制御用コントローラ１９によってコンテナ３内における火災発生が検出される（ステップＳ１０７）。そうすると、警報装置２５等の所定の装置の作動開始が制御される（ステップＳ１０８）。さらに、火災表示灯２１の点灯も制御される（ステップＳ１０９）。
【００３７】
一方、ステップＳ１０３における判定の結果、煙が検知されていない場合（ステップＳ１０３；ＮＯ）、消火制御用コントローラ１９により、熱感知器１５による温度異常の検知の有無が判定される（ステップＳ１０４）。判定の結果、温度異常が検知された場合（ステップＳ１０４；ＹＥＳ）、または、煙が検知されて温度異常が検知されていない場合（ステップＳ１０５；ＮＯ）、さらに消火制御用コントローラ１９により、蓄電装置検知センサによる電池温度異常の検知の有無が判定される（ステップＳ１０６）。判定の結果、電池温度異常が検知された場合（ステップＳ１０６；ＹＥＳ）、消火制御用コントローラ１９によってコンテナ３内における火災発生が検出され（ステップＳ１０７）、警報装置２５等の所定の装置の作動開始が制御された後（ステップＳ１０８）、火災表示灯２１の点灯も制御される（ステップＳ１０９）。
【００３８】
一方、ステップＳ１０４における判定の結果、温度異常が検知されていない場合（ステップＳ１０４；ＮＯ）、あるいは、ステップＳ１０６における判定の結果、電池温度異常が検知されていない場合（ステップＳ１０６；ＮＯ）、消火制御用コントローラ１９によって警報装置２５等の作動有無および火災表示灯２１の点灯有無が判定される（ステップＳ１１０〜ステップＳ１１１）。判定の結果、警報装置２５等の作動または火災表示灯２１の点灯が実施されていた場合（ステップＳ１１０；ＹＥＳまたはステップＳ１１１；ＹＥＳ）、消火制御用コントローラ１９によって警報解除有無が判定される（ステップＳ１１３）。警報解除が有りの場合（ステップＳ１１３；ＹＥＳ）、警報装置２５等の所定の装置の作動停止が制御された後（ステップＳ１１４）、火災表示灯２１の消灯も制御される（ステップＳ１１５）。一方、消火制御用コントローラ１９によって警報解除が無しと判定された場合（ステップＳ１１３；ＮＯ）、および、消火制御用コントローラ１９によって警報装置２５等の作動が無しと判定され、かつ火災表示灯２１の点灯が無しと判定された場合（ステップＳ１１０；ＮＯかつステップＳ１１１；ＮＯ）、前回動作を継続するように制御される。
【００３９】
その後、消火制御用コントローラ１９によりコンテナ３内における温度異常の検出処理が実行された後（ステップＳ１１６）、ステップＳ１０１〜Ｓ１１５の処理が繰り返される。
【００４０】
図５には、図４におけるステップＳ１１６の温度異常検出処理の詳細手順を示している。まず、消火制御用コントローラ１９により、熱感知器１５からの信号が異常を示しているかが特定される（ステップＳ２０１）。そして、消火制御用コントローラ１９により、熱感知器１５による温度異常の検知の有無が判定される（ステップＳ２０２）。判定の結果、温度異常が検知された場合（ステップＳ２０２；ＹＥＳ）、消火制御用コントローラ１９によって温度異常表示灯２３の点灯が制御される（ステップＳ２０３）。一方、温度異常が検知されていない場合（ステップＳ２０２；ＮＯ）、消火制御用コントローラ１９によって温度異常表示灯２３の消灯が制御される（ステップＳ２０４）。このような温度異常検出処理も、繰り返し実行される。
【００４１】
以上説明した蓄電システム１によれば、消火制御用コントローラ１９により、空間検知センサによって検知されたコンテナ３内部の空気の状態が異常を示し、かつ、蓄電装置検知センサによって検知された蓄電装置５の状態が異常を示す場合に、コンテナ３内部の異常状態の発生が検出され、その検出に応じて異常の発生に応じた制御が実行される。このように、コンテナ３内部に配置された蓄電装置５の異常状態のみならず、コンテナ３内部の空気の異常状態を基にコンテナ３内部の異常状態の発生を検出することで、蓄電装置５以外を原因（例えば、コンテナ３内での電線のショート等）とした火災を含む異常状態の発生の検出精度を高めることができる。その結果、異常発生に応じた適切なタイミングでの制御を実現することができる。
【００４２】
特に、蓄電システム１においては、空間検知センサとしてコンテナ３内部の空間内の煙を検知する煙センサを含み、消火制御用コントローラ１９により、煙センサによって煙が検知され、かつ、蓄電装置検知センサによって検知された状態が異常を示す場合に、異常状態の発生が検出されている。このように動作することによって、蓄電装置５の異常状態のみならず、コンテナ３内部の煙の発生状態を基に異常状態の発生を検出することで、蓄電装置５以外を原因とした火災を含むコンテナ３内部の異常状態の発生の検出精度を確実に高めることができる。特に、コンテナ３内での火災発生時は煙が素早く充満しやすいため温度変化よりも煙の発生状況の変化のほうが速いので、コンテナ３内の煙の検知状況を基に異常発生を検出することによって、火災の初期状態をより確実に検出することができる。
【００４３】
また、蓄電システム１においては、空間検知センサとしてコンテナ３内部の空間内の温度を検知する温度センサを含み、消火制御用コントローラ１９により、温度センサによって検知された温度が閾値を超えており、かつ、蓄電装置検知センサによって検知された状態が異常を示す場合に、異常状態の発生が検出される。このような動作により、蓄電装置５の異常状態のみならず、コンテナ３内部の温度状態を基に異常状態の発生を検出することで、蓄電装置５以外を原因とした火災を含むコンテナ内部の異常状態の発生の検出精度を確実に高めることができる。
【００４４】
さらに、蓄電システム１においては、蓄電装置検知センサとして蓄電装置５の内部に配置された温度センサを含み、消火制御用コントローラ１９により、空間検知センサによって検知された状態が異常を示し、かつ、温度センサによって検知された温度が閾値を超えた場合に、異常状態の発生が検出されている。このような動作により、コンテナ３内部の空気の異常状態のみならず、蓄電装置５の内部の温度上昇を基に異常状態の発生を検出することで、蓄電装置５自体の温度上昇等の不具合に起因した火災を含むコンテナ内部の異常状態の発生の検出精度を確実に高めることができる。特に、蓄電装置５の内部の温度異常を基に異常状態の発生を検出することで、蓄電池の熱暴走を起因とした異常を確実に検出することができる。
【００４５】
また、蓄電システム１においては、消火制御用コントローラ１９により、異常状態の発生を火災表示灯２１に表示させるように制御される。このようにすれば、コンテナ３の外部にコンテナ３内部における異常の発生を素早く報知することができる。その結果、コンテナ３の外部においても、作業員、消防隊員等に対して、火災発生を報知することができると共に、消火制御用コントローラ１９による消火処理が実行中であることを知らせることができる。加えて、蓄電システム１においては、消火制御用コントローラ１９により、熱感知器１５によって検知された温度が閾値を超えた場合に温度の異常を温度異常表示灯２３に表示させるように制御される。このような動作により、消火制御用コントローラ１９による消火処理が実行された後に、コンテナ３内部の異常状態の進行状況をコンテナ３の外部に容易に報知することができる。例えば、消火制御用コントローラ１９によって火災発生が検出された後に消火処理によって火災が継続しているか否かの状況を外部の消防隊員等が容易に確認することができる。
【符号の説明】
【００４６】
１…蓄電システム、３…コンテナ、５…蓄電装置、５ａ…電池用コントローラ（蓄電装置検知センサ）、５ｂ…温度センサ（蓄電装置検知センサ）、１１、１３…煙感知器（空間検知センサ）、１５…熱感知器（空間検知センサ）、１７…ガス消火装置、１９…消火制御用コントローラ（制御部）、２１…火災表示灯（第１の表示装置）、２３…温度異常表示灯（第２の表示装置）、２５…警報装置。
【図１】
2019040814.tif 000003
【図２】
2019040814.tif 000004
【図３】
2019040814.tif 000005
【図４】
2019040814.tif 000006
【図５】
2019040814.tif 000007